(57)【特許請求の範囲】
【請求項１】
壁を生成する方法であって、該方法は、
複数の垂直に間隔をあけられ水平に延びている構造部材を提供することと、
該水平に延びている構造部材の外側に断熱材を掛けることと、
該複数の水平に延びている構造部材の各々の複数の外側フランジに、ブランケット断熱材の向こう側の複数のブラケット部材における横に延びているタブにおけるコネクター部分を固定することと、
壁パネルを該ブラケットにおける外側フランジに固定することによって、該断熱材の外側に該壁パネルを据え付けることと
を含む、方法。
【請求項２】
前記掛けるステップは、前記複数のブラケットを据え付ける前に、前記壁における最上のガートに該ブランケットを留めることをさらに含む、請求項１に記載の方法。
【発明の詳細な説明】
【技術分野】
【０００１】
（関連出願への相互参照）
本願は、米国仮特許出願第６１／４７２，４００号（２０１１年４月６日出願）の利益を主張し、その全体の内容は、参照によって本明細書中に援用される。
【０００２】
（発明の背景）
（１．発明の分野）
本発明は、一般に、建物を組み立てる分野に関連する。より具体的には、本発明は、金属建物のための断熱された金属壁を製作する分野に関連する。
【背景技術】
【０００３】
（２．関連技術の説明）
従来、金属建物は、一連のステップに従って組み立てられる。第一に、金属フレームが、組み立てられる。金属フレームは、数多くの構造支持部材を含む。屋根部分は、母屋と呼ばれる傾斜した屋根構造部材を含む。壁は、垂直に間隔をあけられ水平に延びている部材を含み、その部材は、ガートと呼ばれる。フレームが据え付けられると、建物の屋根と壁部分との両方を断熱することは、一般的である。
【０００４】
屋根配置に関して、ブランケット断熱材が、母屋の頂部を覆って掛けられ、それから屋根パネルが、断熱材を覆って固定される。いくつかの場合、長手方向のサーマルブロックが、掛けられたブランケット断熱材の上で母屋の全体の長さを走るように、母屋の頂部フランジの上方に長手方向のサーマルブロックを据え付けることが、知られている。
【０００５】
従来の壁に関して、ブランケット断熱材は、水平に延びているガートを覆って掛けられるように、上方から固定される。それから、金属壁パネルは、ガートの外側フランジに固定され、壁パネルと壁パネルが接続する各ガートの外側フランジとの間でブランケット断熱材をつぶす。上からつぶされた断熱材のこれらの線は、熱損失を生成する。
【発明の概要】
【課題を解決するための手段】
【０００６】
実施形態において、本発明は、垂直に位置をずらされた水平な支持部材（例えば、ガート）によって構造上支持される壁システムである。実施形態において、システムは、内へ延びているチャンネルを有する種類の壁パネルを含む。第一の実施形態において、ブラケットは、ガートと壁パネルとの間に据え付けられる。各ブラケットは、複数のタブを有する。タブは、ブラケットにおける別のタブから間隔をあけられ、タブは、外へ横に延びている。各タブの部分は、壁パネルと垂直に位置をずらされた水平な支持部材との間にブラケットを固定するように構成される。第二の代替実施形態において、（ブラケット上にない）独立したタブが、水平な支持部材の各々に沿って間隔をあけられ得る。どちらにせよ、空間が、ガートの外側フランジと壁パネルにおける内へ延びているチャンネルとの間に生成される。この空間は、断熱材のブランケットがタブ間に生成された空間内へ膨張させられることを可能にする。
【０００７】
壁を製作する方法がまた、開示される。方法は、（ｉ）複数の垂直に間隔をあけられ水平に延びている構造部材を提供することと、（ｉｉ）水平に延びている構造部材の外側に断熱材を掛けることと、（ｉｉｉ）複数の水平に延びている構造部材の各々の複数の外側フランジに、ブランケット断熱材の向こう側の複数のブラケット部材における横に延びているタブにおけるコネクター部分を固定することと、（ｉｖ）壁パネルをブラケットにおける外側フランジに固定することによって、断熱材の外側に壁パネルを据え付けることとを含む。
本明細書は、例えば、以下の項目も提供する。
（項目１）
複数の垂直に位置をずらされた水平な支持部材と、
少なくとも１つの内へ延びているチャンネルを有する壁パネルと、
複数のタブと
を含み、各タブは、該壁パネルまたは該垂直に位置をずらされた水平な支持部材に該タブを固定するように構成された少なくとも１つの開口部を有し、該タブは、該水平な支持部材の各々に沿って間隔をあけられ、該タブは、該水平な支持部材および該内へ延びているチャンネルのうちの少なくとも１つに固定され、該タブは、断熱材のブランケットが該タブ間に生成された空間内へ膨張させられることを可能にする、
壁システム。
（項目２）
前記タブの各々は、スタンチョンブラケットの一部として形成されている、項目１に記載の壁システム。
（項目３）
前記スタンチョンブラケットは、横に延びている支持バーを含み、前記複数のタブは、該支持バーにおいて横に間隔をあけられ、該複数のタブは、該支持バーから外へ延びている、項目２に記載の壁システム。
（項目４）
前記複数のタブの各々は、下へ延びている部分において終端をなし、該下へ延びている部分は、前記水平な支持部材の外側フランジに前記スタンチョンブラケットを取り付けるための留め具を受け取ることが可能である、項目３に記載の壁システム。
（項目５）
前記水平な支持部材は、ガートである、項目４に記載の壁システム。
（項目６）
前記支持バーは、複数の孔を有し、該複数の孔は、前記壁パネルおける２つの垂直に伸びる隣接したチャンネル間の横の距離に対応する距離で横に間隔をあけられている、項目４に記載の壁システム。
（項目７）
各タブは、独立し、各タブは、前記複数のタブにおける他のタブと一体をなさず、各タブは、留め具を受け取るために各端にコネクター部分を有する、項目１に記載の壁システム。
（項目８）
前記水平な支持部材は、ガートである、項目１に記載の壁システム。
（項目９）
複数の垂直に位置をずらされた水平な支持部材と
少なくとも１つの内へ延びているチャンネルを有する壁パネルと、
複数のブラケットと
を含み、各ブラケットは、支持バーと、該支持バーに沿って横に間隔をあけられた複数のタブとを有し、該支持バーは、該内へ延びているチャンネルに該支持バーを固定するための少なくとも１つの開口部を有し、少なくとも１つのタブは、該水平な支持部材に該タブを固定するための開口部を有し、該壁パネルと該水平な支持部材との間に配置された断熱材のブランケットは、該壁パネルと該水平な支持部材との間に該タブによって生成された空間内へ膨張させられることを可能にされる、
壁システム。
（項目１０）
前記タブによって生成された前記空間は、該タブ間の断熱材が膨らむための余地がある、項目９に記載の壁システム。
（項目１１）
壁を生成する方法であって、該方法は、
複数の垂直に間隔をあけられ水平に延びている構造部材を提供することと、
該水平に延びている構造部材の外側に断熱材を掛けることと、
該複数の水平に延びている構造部材の各々の複数の外側フランジに、ブランケット断熱材の向こう側の複数のブラケット部材における横に延びているタブにおけるコネクター部分を固定することと、
壁パネルを該ブラケットにおける外側フランジに固定することによって、該断熱材の外側に該壁パネルを据え付けることと
を含む、方法。
（項目１２）
前記掛けるステップは、前記複数のブラケットを据え付ける前に、前記壁における最上のガートに該ブランケットを留めることをさらに含む、項目１１に記載の方法。
【０００８】
（図面のいくつかの見方の簡単な説明）
本発明の例証的な実施形態は、添付の図面を参照して、以下でより詳細に説明され、図面は本明細書中に参照によって援用される。
【図面の簡単な説明】
【０００９】
【図１Ａ】図１Ａは、従来の断熱されたパネルの横断面の壁断面を示している。
【図１Ｂ】図１Ｂは、従来の断熱された金属建物壁設計から選ばれた水平断面の上面図を示している。
【図１Ｃ】図１Ｃは、図１Ａおよび１Ｂに示されている従来の設計のためのガート周りの詳細を示している破断面である。
【図１Ｄ】図１Ｄは、例示的な壁パネルの透視図である。
【図２】図２は、本明細書中に開示される本発明に従った、断熱された壁の透視図を示している。
【図３Ａ】図３Ａは、本発明の教示に従った、スタンチョンブラケットの透視図である。
【図３Ｂ】図３Ｂは、図３Ａのスタンチョンブラケットを作るために機械加工され得る平らな金属製要素を示している。
【図３Ｃ】図３Ｃは、図３Ａのスタンチョンブラケットの端面図を示している。
【図４Ａ】図４Ａは、本発明の断熱された壁から選ばれた垂直断面を示している。
【図４Ｂ】図４Ｂは、本発明の断熱された壁から選ばれた水平断面を示している。
【図４Ｃ】図４Ｃは、図４Ａの垂直断面から選ばれた破断面を示している。
【図４Ｄ】図４Ｄは、図４Ｂから選ばれた水平断面から選ばれた破断面を示している。
【図５Ａ】図５Ａは、本発明の教示に従った、スペーサータブの透視図を示している。
【図５Ｂ】図５Ｂは、図５Ａのスペーサータブの端面図を示している。
【発明を実施するための形態】
【００１０】
（詳細な説明）
本発明の実施形態は、建物を断熱するための断熱された金属パネルシステムを提供する。開示される実施形態のための文脈を提供するために、技術の現在の状態を示している図１Ａ、１Ｂ、１Ｃ、および１Ｄを参照されたい。
【００１１】
図１Ａは、従来のシステム１０を示し、金属壁パネル１２が、据え付けられることにより、建物壁を生成する。図１Ａ〜Ｄに示されているパネルのタイプは、商品名ＳＨＡＤＯＷＡＬＬ（登録商標）によって呼ばれ、ＢｌｕｅＳｃｏｐｅ  Ｂｕｔｌｅｒ（Ｋａｎｓａｓ  Ｃｉｔｙ，Ｍｉｓｓｏｕｒｉに位置、ＢｌｕｅＳｃｏｐｅ  Ｓｔｅｅｌ  Ｌｉｍｉｔｅｄ，Ａｕｓｔｒａｌｉａのビジネスグループ）によって製造される。図１Ｄに示されているように、壁パネル１２は、パネル１２を上下に走る垂直チャンネル（または、リッジ）２２を含み得る。これらの垂直チャンネル２２は、パネル１２の最も内奥の部分を構成し、つまりこれらのチャンネル２２は、建物内部の方へ最も遠くに延びている（図１Ｂを参照）。これらの垂直チャンネル２２の各々の間で、かすかなＶディップ２０がまた、チャンネル（リッジ）２２と同じ方向に延びている（図１Ｄを参照）。
【００１２】
図１Ａに示されているように、金属パネル１２のこのタイプは、通例、複数の水平に走りかつ垂直に間隔をあけられたＺガート１４に固定される。各Ｚガート１４は、外側フランジ２４を有し（図１Ｃを参照）、金属壁パネル１２は、留め具１６を使用して、その外側フランジ２４に固定される。留め具１６は、典型的に、タッピンねじである。
【００１３】
壁を断熱することが望ましい場合、パネル１２がＺガート１４に固定される前に、断熱材のブランケット１８は、広げられて壁パネル１２に上から掛けられ得る。断熱材のブランケット１８は、内側に表面仕上げ面１９を有し得、その表面仕上げ面１９は、住人との接触を防ぎ、より魅力的な外観を提示し、かつ蒸気バリアを生成する。掛ける工程は、ブランケット１８が広げられた位置にとどまるように、ブランケット１８を最上の母屋にいくつかの態様で留めることを含み得る。広げられてパネル１２に上から掛けられた後、断熱材のブランケット１８は、留め具１６を使用して壁パネル１２と複数のＺガート１４の外側フランジ２４との間に固定される（図１Ａを参照）。より具体的には、留め具１６は、垂直チャンネル２２、断熱材のブランケット１８を通って、Ｚガート１４の外側フランジ２４内へ駆動される。
【００１４】
留め具１６が、壁の最も内奥の部分（チャンネル２２）を通してねじ込まれる場合、留め具１６は、対応するＺガート１４の外側フランジ２４を押しつけて、断熱材のブランケット１８の部分２６をはさむ（図１Ｃを参照）。断熱材のブランケット１８のこの圧縮は、熱抵抗が弱められる区域を生成し、それは、相当な熱損失を可能にする。Ｚガート１４のフランジ２４近くの区域における熱流線図を見ることが可能ならば、留め具１６周囲の区域を通る熱エネルギーの有意な流れを見るだろう。逆に、熱損失がＺガート１４のフランジ２４の上方または下方に間隔をあけられた位置において減少させられることに気付くだろう。ガート間位置における熱損失のこの減少は、（例えば、図１Ａにおける垂直に間隔をあけられたＺガート１４間の中間で）外へ膨らむ断熱材のブランケット１８が、ガートフランジ２４からより遠くなるほど、より多くの空気（熱の良い絶縁体である）のための余地があることにより、断熱材を助けるからである。断熱材のブランケット１８が、パネル１２の数多くの位置においてチャンネル２２の内側表面とガートフランジ２４との間でピン留めされる場合、結果として生じる熱損失は、このように構成された建物の各壁の外側における複数の垂直に位置をずらされた平行な水平のストライプとして現れる。
【００１５】
図２〜５において見られ得る、本発明１１０によって開示される配置は、金属壁１１２における熱損失を大いに減少させる（図２を参照）。従来のシステム１０の場合と同様に、金属壁１１２は、留め具を使用して建物のＺガート１１４の外側に取り付けられる。さらに、従来のシステム１０と同様に、壁１１２が取り付けられる場合、表面仕上げ面１１９を有する断熱材のブランケット１１８は、上から掛けられて壁１１２とＺガート１１４との間に据え付けられる。さらに、従来のシステム１０に類似して、新たなシステム１１２は、壁１１２の最も内奥のチャンネル部分１２２において固定される（図２を参照）。
【００１６】
しかし、金属壁パネル１１２を固定する場合に、断熱材のブランケット１１８が、直接、押しつけられることも金属壁パネル１１２とＺガート１１４のフランジ１２４との間にはさまれることもない点で、新たなシステム１１０は、従来のシステムとは異なる。代わりに、横に延びているスタンチョンブラケット１３２（図２を参照）が、断熱材１１８の上に据え付けられ、スタンチョンブラケット１３２は、ガート１１４の長さに沿って、壁パネル１１２とＺガート１１４の外側フランジ１２４との間に固定される。
【００１７】
図３Ａにおいてより明瞭に示されているように、スタンチョンブラケット１３２は、横に延びている支持バー１３４と、支持バー１３４の長さに沿って間隔をあけられた複数のタブ１２６とを含む。各タブ１２６は、外へ延びている部分１２６ａを有し、外へ延びている部分１２６ａは、支持バー１３４から外へ延び、縁１２６ｂにおいて終端をなす。外へ延びている部分１２６ａの縁１２６ｂは、支持バー１３４から最も離れている、外へ延びている部分１２６ａの一部を構成する。各タブ１２６は、下へ延びている部分１２６ｃをさらに含み、下へ延びている部分１２６ｃは、縁１２６ｂから下へ延びている。
【００１８】
スタンチョンブラケット１３２は、平らな金属製要素１３１（図３Ｂを参照）から組み立てられ得、平らな金属製要素１３１は、既知の方法によって、完成したスタンチョンブラケット１３２を形成するように構成される。タブ１２６のいくつかまたはすべては、下へ延びている部分１２６ｃ内に、開口部または孔１２６ｈを含み得る。支持バー１３４はまた、孔１３２ｈを有し得、孔１３２ｈは、支持バー１３４に沿って距離１３２ｌで横に間隔をあけられ、距離１３２ｌは、一般に、２つの垂直に延びている隣接したチャンネル２２間の横の距離（図１Ｄにおける寸法２２ｌを参照）に対応する。
【００１９】
建物の建て方における組み立ての点から、Ｚガート１１４は、図に示されているような場所にすでにあり、残りの壁構成要素が、Ｚガート１１４の外側に据え付けられる。いくつかの実施形態において、断熱材のブランケット１１８は、Ｚガート１１４のフランジ１２４の外側を覆って掛けられる。この時点で断熱材１１８を独立して固定することは、必要ないが、多くの例において、壁パネル１１２をＺガート１１４に固定する前に、ブランケット１１８を上方から固定し、ブランケット１１８がガートフランジ１２４の外側に上から掛かることを可能にすることは意味をなす。
【００２０】
実施形態において、次のステップは、スタンチョンブラケット１３２を固定することを含む。いくつかの実施形態において、これは、壁パネル１１２がブラケット１３２の支持バー１３４に固定される前に、スタンチョンブラケット１３２のタブ１２６が、断熱材１１８の頂部におけるＺガート１１４のフランジ１２４に固定されることを意味する。タブ１２６が、Ｚガート１１４の長さに沿って延びるように整列させられて固定された後、留め具１１６（図４Ｃを参照）が、タブ１２６における孔１２６ｈと断熱材のブランケット１１８とを通過させられ、Ｚガート１１４のフランジ１２４に食い込ませられる。スタンチョン１３２のタブ１２６の下に閉じ込められた断熱材の部分は、比較的小さく、タブ１２６がガートフランジ１２４に固定された後、周囲の断熱材は、簡単に外へ膨れることにより、タブ１２６の周囲のすべての区域を満たす。パネル１１２が後で据え付けられる場合に、パネル１１２の少なくとも１つのチャンネル１２２が、ブラケット１３２の支持バー１３４における孔１３２ｈに対応するように、タブ１２６をフランジ１２４に沿って水平に整列させるために、注意がされ得る。
【００２１】
タブ１２６が留め具１１６によってフランジ１２４に固定された後、次のステップは、パネル１１２の１つ以上のチャンネル部分１２２がブラケット１３２の支持バー１３４における孔１３２ｈに整列するように、パネル１１２をまっすぐに立てることである。特に、留め具１３３（図４Ｃを参照）は、外側からチャンネル１２２を通過させられ、それから、支持バー１３４における孔１３２ｈを通過させられる。それによって、パネル１１２は、Ｚガート１１４のフランジ１２４に間接的に固定される。
【００２２】
タブ１２６の外へ延びている部分１２６ａが、パネル１１２をＺガート１１４の外側フランジ１２４から位置をずらすので、有意な開いた空間が、ガート１１４とパネル１１２との間に生成され、その結果、断熱材１１８は、その空間を満たし得る。そのうえ、各タブ１２６は、隣接したタブ１２６から距離１３０（図４Ｂを参照）だけ横に間隔をあけられ、ブラケット１３２は、別のブラケット１３２から相当な距離１２８（図４Ａを参照）だけ垂直に間隔をあけられる。これらの距離は、断熱材のブランケット１１８が、垂直に間隔をあけられたＺガート１１４間と、さらに隣接したタブ１２６間の横の空間１３０内との両方へ膨らむためのより多くの区域を生成する。膨らんだブランケット断熱材１１８は、マット状の断熱材１１８よりも熱バリアとしてはるかに効果的である。従って、はるかに高い割合の壁パネル１１２が、マット状の断熱材ではなく膨らんだ断熱材によって裏打ちされ、その結果、熱損失は、スタンチョンブラケット１３２が理由で大いに減少させられる。
【００２３】
スタンチョンブラケット１３２の代わりに、またはスタンチョンブラケット１３２と共に、複数の独立したタブ２００ａ（図５および５Ｂを参照）を使用することによって、上記に述べられた目的を達成することはまた、可能であり、複数の独立したタブ２００ａは、Ｚガート１１４の外側フランジ１２４の長さに沿って横に間隔をあけられる。本実施形態において、タブ２００ａは、縁２０４ａおよび２０６ａを有するベース部材２０２ａを有する。開口部または孔２０８ｈを有するコネクター部分２０８ａは、縁２０４ａから垂直に上へ延びている一方、開口部または孔２１０ｈを有するコネクター部分２１０ａは、縁２０６ａから垂直に下へ延びている。タブ２００ａは、第一に、断熱材１１８の向こう側のＺガート１１４のフランジ１２４に留め具によって固定され、留め具は、コネクター部分２１０ａにおける孔２１０ｈを通って延び、それから、Ｚガート１１４のフランジ１２４に食い込む。前述のように、タブ２００ａのフランジ１２４に沿った水平方向の配置の点から、コネクター部分２０８ａにおける孔２０８ｈがチャンネル部分１２２に対応するように、タブ２００ａがフランジ１２４に固定されるように注意がされ得る。タブ２００ａがフランジ１２４に固定された後、パネル１１２が、まっすぐに立てられて、タブ２００ａのコネクター部分２０８ａに固定され得る。特に、留め具は、チャンネル１２２の外側から、チャンネル１２２およびコネクター２０４ａの孔２０８ｈを通過させられ、それによって、パネル１１２をＺガート１１４のフランジ１２４に間接的に固定する。任意の数のタブ２００ａが、特定のプロジェクトの要件に従って所望のように固定され、かつ間隔をあけられるので、これらの独立したタブ２００ａは、スタンチョンブラケット１３２よりも良い順応性を可能にし得る。
【００２４】
描写された種々の構成要素および示されていない構成要素の多くの異なる配置が、本発明の精神および範囲から逸脱することなしに可能である。本発明の実施形態は、制限的であることではなく、例証的であることを意図して、説明されてきた。本発明の範囲から逸脱しない代替実施形態は、当業者にとって明白になる。当業者は、本発明の範囲から逸脱することなしに、前述の改良点を実装する代替の手段を開発し得る。
【００２５】
特定の特徴および下位組み合わせ（ｓｕｂｃｏｍｂｉｎａｔｉｏｎ）は、有用であり、特定の特徴および下位組み合わせは、他の特徴および下位組み合わせを考慮に入れずに用いられ得、特定の特徴および下位組み合わせは、特許請求の範囲の範囲内にあると想定されることが、理解される。種々の図に記載されたすべてのステップが、説明された特定の順番で実施される必要があるわけではない。
【図１Ａ】
0005951003.tif 000002
【図１Ｂ】
0005951003.tif 000003
【図１Ｃ】
0005951003.tif 000004
【図１Ｄ】
0005951003.tif 000005
【図２】
0005951003.tif 000006
【図３Ａ】
0005951003.tif 000007
【図３Ｂ】
0005951003.tif 000008
【図３Ｃ】
0005951003.tif 000009
【図４Ａ】
0005951003.tif 000010
【図４Ｂ】
0005951003.tif 000011
【図４Ｃ】
0005951003.tif 000012
【図４Ｄ】
0005951003.tif 000013
【図５Ａ】
0005951003.tif 000014
【図５Ｂ】
0005951003.tif 000015